(57)【要約】【課題】  弾性体被覆ローラの製造時に芯ローラとゴムチューブとの間に残る空気層の除去や歪み取りを容易に行なうことができる弾性体被覆ローラの製造方法を提供する。【解決手段】  弾性体被覆ローラの製造方法は、鉄芯１１の外周面上にゴムチューブ１２を装着する工程と、ゴムチューブ１２の外表面に別のチューブ２１を嵌める工程と、別のチューブ２１をゴムチューブ１２の一方端から他方端まで移動させることにより、鉄芯１１とゴムチューブ１２との間の空気を外部に追い出す工程とを備える。【選択図】      図２
2006342929.tif 000002
【特許請求の範囲】
【請求項１】
芯ローラの外周面上に円筒弾性体を装着する工程と、
前記円筒弾性体の外表面に円環状部材を嵌める工程と、
前記円環状部材を前記円筒弾性体の一方端から他方端まで相対的に移動させることにより、前記芯ローラと前記円筒弾性体との間の空気を外部に追い出す工程とを備える、弾性体被覆ローラの製造方法。
【請求項２】
前記円筒弾性体の外径は前記円環状部材の内径より大きい、請求項１に記載の弾性体被覆ローラの製造方法。
【請求項３】
前記円環状部材はチューブである、請求項１または２に記載の弾性体被覆ローラの製造方法。
【請求項４】
前記チューブを前記円筒弾性体の一方端から他方端まで相対的に移動させるときは、前記円筒弾性体と前記チューブとの間に圧縮空気を吹き付ける、請求項３に記載の弾性体被覆ローラの製造方法。
【請求項５】
前記芯ローラの外周面上に円筒弾性体を装着する工程と、前記円筒弾性体の外表面に円環状部材を嵌める工程との間に、前記円筒弾性体の外表面に潤滑性材料を塗布する工程を含む、請求項３または４に記載の弾性体被覆ローラの製造方法。
【請求項６】
前記円環状部材はリングである、請求項１または２に記載の弾性体被覆ローラの製造方法。
【発明の詳細な説明】
【技術分野】
【０００１】
この発明は芯ローラの外周面に円筒弾性体を装着する、いわゆる嵌め込み式による、弾性体被覆ローラの製造方法に関し、特に、弾性体被覆ローラ製造時の脱気および歪み取りを容易に行なうことができる弾性体被覆ローラの製造方法に関する。
【背景技術】
【０００２】
弾性体被覆ローラの一例として、半導電性ロールの製造方法が、たとえば、特開平２−２０２４３０号公報（特許文献１）に開示されている。同公報によれば、金属製の軸体の外周に、エチレン−プロピレン−ジエンゴム（ＥＰＤＭ）等の導電性弾性層を形成する。一方、過塩素酸塩と高分子化合物とからなる薄膜のチューブを形成し、このチューブを導電性弾性層の上に空気を送り込みながら被せて、薄膜状の半導電性高分子層が形成された半導電性ロールを製造している。
【０００３】
また、弾性体被覆ローラの他の例として、導電性ゴムローラの製造方法が、特開平７−２３８９２３号公報（特許文献２）に開示されている。同公報によれば、シャフトと、このシャフトの外周に設けられた導電性のゴム層からなるゴムローラにおいて、ゴム層がチューブ状のものからなり、後でシャフトを挿入して導電性ゴムローラとする、導電性ゴムローラの製造方法を開示している。シャフトを挿入する際、シャフト挿入側と逆方向から圧力をかけた空気を送り込んで中空内を膨らませながら、シャフトが挿入される。
【特許文献１】特開平２−２０２４３０号公報（第３頁右上欄第１７行〜右下欄第３行）
【特許文献２】特開平７−２３８９２３号公報（段落番号０００７，０００８，００１６等）
【発明の開示】
【発明が解決しようとする課題】
【０００４】
従来の弾性体被覆ローラは、上記のような方法で製造されていた。チューブ状のゴム層をシャフトに被せるときに、その間に、どうしても、空気の層が残ってしまう。この空気層を除去するために、従来は製造された弾性体被覆ローラを１〜２時間程度、１６０℃で加熱したり、手でしごいて空気層を除去していた。しかしながら、このような方法では、手間がかかるとともに、空気層が十分除去できないという問題があった。
【０００５】
この発明は上記のような問題点を解消するためになされたもので、弾性体被覆ローラの製造時に芯ローラと円筒弾性体との間に残る空気層の除去を容易に行なうことができる弾性体被覆ローラの製造方法を提供することを目的とする。
【課題を解決するための手段】
【０００６】
弾性体被覆ローラの製造方法は、芯ローラの外周面上に円筒弾性体を装着する工程と、円筒弾性体の外表面に円環状部材を嵌める工程と、円環状部材を円筒弾性体の一方端から他方端まで相対的に移動させることにより、芯ローラと円筒弾性体との間の空気を外部に追い出す工程とを備える。
【０００７】
円環状部材を円筒弾性体の一方端から他方端まで相対的に移動させることで、円環状部材の締付け力によって、芯ローラと円筒弾性体との間の空気を外部に追い出し、除去できる。
【０００８】
好ましくは、円筒弾性体の外径は円環状部材の内径より大きい。
【０００９】
この発明の一つの実施の形態によれば、円環状部材はチューブである。この場合、チューブを円筒弾性体の一方端から他方端まで相対的に移動させるときは、円筒弾性体とチューブとの間に圧縮空気を吹き付けるのが好ましい。
【００１０】
さらに好ましくは、芯ローラの外周面上に円筒弾性体を装着する工程と、円筒弾性体の外表面に円環状部材を嵌める工程との間に、円筒弾性体の外表面に潤滑性材料を塗布する工程を含む。
【００１１】
この発明の他の実施の形態においては、円環状部材はリングである。
【発明を実施するための最良の形態】
【００１２】
以下、この発明の実施の形態を、図面を参照して説明する。図１は弾性体被覆ローラの一例としての、ゴム被覆ローラの製造方法を示す図である。ゴム被覆ローラは、直径が１０〜３０ｍｍ程度で、プリンタ等のＯＡ機器における定着ローラや駆動ローラや紙送りローラに使用される。
【００１３】
図１（Ａ）〜（Ｂ）を参照して、まず、鉄芯（芯ローラ）１１を準備し、その外周面上に鉄芯１１の外径よりも小さい内径を有するゴムチューブ（円筒弾性体）１２をその一方端部側から圧縮空気を吹きつけながら装着して、ゴム被覆ローラ１３を製造する。このようにして製造されたゴム被覆ローラ１３においては、ゴムチューブ１２が装着された鉄芯１１には、鉄芯１１とゴムチューブ１２との間に空気層が残っている。なお、ここでゴムチューブ１２に使用されるゴムは加硫されたゴムである。
【００１４】
次に、この発明における上記空気層の除去方法について説明する。図２（Ａ）に示すように、ゴム被覆ローラ１３の外表面の一方端に別のチューブ２１を嵌め込み、それを他方端まで圧入することによって、鉄芯１１とゴムチューブ１２との間に残っている空気ｂを排除する。このとき、同時に、ゴムチューブ１２の圧入時に生じた歪みａも取り除かれる。チューブ２１は、ゴム被覆ローラ１３に対して締付け力を作用させるために、ゴム等の弾性材料からなるのが好ましい。
【００１５】
ここで、チューブ２１の内径は、ゴム被覆ローラ１３の外径よりも小さい。このチューブ２１を一方端から他方端まで移動することによって、鉄芯１１とゴムチューブ１２の間に生じた空気層は、チューブ２１の締付け力によって他方端まで押出されて排除される。その結果、鉄芯１１とゴムチューブ１２とが密着する。また、上記したように、この過程でゴムチューブ１２内の歪みも取り除かれる。
【００１６】
この圧入時には、チューブ２１の先端部には、エアガン２２により圧縮空気を吹きつけながら行なう。図２（Ｂ）に示すように、チューブ２１をゴム被覆ローラ１３の他方端まで移動すれば、脱気および歪み取りは完了する。その後、チューブ２１を引き抜く（図２（Ｃ））。このときも、エアガン２２により圧縮空気を吹き付けながら行なうのが好ましい。ここでは、チューブ２１を上方端側に引き抜いているが、これは、下方端側に引き抜いてもよい。
【００１７】
なお、この作業は、人手で行ってもよいし、機械で自動的に行わせてもよい。
【００１８】
その後、図３（Ａ）に示すように、カッタ１４により、ゴムチューブ１２の両端部の耳部１２ａを切断し、ゴム被覆ローラ１３のゴムチューブ１２を適切な寸法とする。ついで、図３（Ｂ）に示すように、ゴムチューブ１２の外周部を回転砥石１５で研磨して、図４に示す、仕上げられたゴムチューブ表面１２ｂを有するゴム被覆ローラ１０を製造する。
【００１９】
また、ゴム被覆ローラの脱気を行なう前に、ゴム被覆ローラの表面に潤滑性材料を塗布してもよい。このようにすれば、より効率的に作業が可能になる。
【００２０】
この発明においては、上記のように、ゴムチューブ１２の歪みによる厚みのばらつきが小さくなり、鉄芯１１にゴムチューブ１２を均一に被覆できるため、図３（Ｂ）に示した研磨工程などの後加工工程における削り代を小さくできる。具体的には、従来の削り代は０．２５ｍｍ程度であったが、これを０．１３ｍｍまで減らすことができた。
【００２１】
また、研磨工程やその後の工程での歪み戻りがないため、ゴム被覆ローラの外径精度が上がり、不良品の発生率を低減させることができる。
【００２２】
次に、この発明の他の実施の形態について説明する。上記実施の形態においては、チューブを用いて脱気を行なったが、この実施の形態においては、チューブの代わりに、Ｏリングを使用する。図５は、この実施の形態における脱気方法を示す図である。
【００２３】
図５を参照して、図２と同様に、Ｏリング２５をゴム被覆ローラ１３の一方端から嵌め込む（図５（Ａ））。このとき、図５（Ａ）に示すように、嵌め込む側の端面には、Ｏリング２５の挿入を容易にするために、三角錘治具２６をセットするのが好ましい。その後、順にＯリング２５を他方端へ移動し、順に歪みとりと脱気を行なう（図５（Ｂ））。このとき、Ｏリング２５を捲り回転させながら上端から下端まで移動させるのが好ましい。なお、ここで捲り回転というのは、Ｏリング２５の外周が内周に入り込みながらゴム被覆ローラ１３の表面を転がるように回転させることをいう。この作業は、人手で行なってもよいし、機械に行わせてもよい。図５（Ｃ）に示すように下端までＯリング２５を通せば、歪み取りおよび脱気が完了する。その後の処理は、先の実施の形態と同じである。
【００２４】
この処理によっても、先の実施の形態と同じ効果が得られる。Ｏリング２５は、ゴム被覆ローラ１３に対して締付け力を作用させるために、ゴム等の弾性材料からなるのが好ましい。
【００２５】
なお、上記実施の形態においては、チューブまたはＯリングを用いて脱気等を行なう例について説明したが、これに限らず、スプリングで構成されたリングを用いてもよい。
【００２６】
また、上記実施の形態においては、弾性体被覆ローラとして、ゴム被覆ローラを例にあげたが、これに限らず、軟質樹脂被覆ローラや、スポンジローラに適用してもよい。
【００２７】
また、上記実施の形態においては、ゴム被覆ローラを固定して、チューブまたはリングを一方端から他方端へ移動させる例について説明したが、これに限らず、チューブまたはリングを固定して、ゴム被覆ローラを移動させるようにしてもよい。
【００２８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００２９】
この発明に係る弾性体被覆ローラの製造方法は、鉄芯とゴムチューブとの間の脱気および歪み取りを容易に行えるため、弾性体被覆ローラの製造方法として有利に利用されうる。
【図面の簡単な説明】
【００３０】
【図１】この発明にかかるゴム被覆ローラの製造工程を示す図である。
【図２】ゴム被覆ローラにおいて、鉄芯とゴムチューブとの間の空気層を除去する手順を示す図である。
【図３】脱気後の後加工工程を示す図である。
【図４】完成したゴム被覆ローラを示す図である。
【図５】ゴム被覆ローラにおいて、鉄芯とゴムチューブとの間の空気層を除去する他の方法を示す図である。
【符号の説明】
【００３１】
１０，１３  ゴム被覆ローラ、１１  鉄芯、１２  ゴムチューブ、１４  カッタ、１５  回転砥石、２１  チューブ、２５  Ｏリング、２６  三角錘治具。
【図１】
2006342929.tif 000003
【図２】
2006342929.tif 000004
【図３】
2006342929.tif 000005
【図４】
2006342929.tif 000006
【図５】
2006342929.tif 000007